(57)【特許請求の範囲】
【請求項１】
デジタルデータの原盤情報が複製された複製情報であって、前記複製情報が記憶される記録媒体の種類を示す記録媒体情報のうち自装置を示す記録媒体情報が関連付けられている原盤情報が複製された前記複製情報が、予め記憶されている記憶部と、
現在の時刻を計時する時計部と、
重力方向に対する自装置の方向の変化を自装置に対する操作として検出する方向検出部と、
前記方向検出部が検出した結果に基づいて、動作モードを判定する判定部と、
前記時計部が計時する時刻と、前記判定部が判定する前記動作モードとのうち、少なくともいずれか１つに基づいて、前記記憶部に記憶されている前記複製情報を再生する再生部と、
前記再生部の前記複製情報の再生の状態に応じた当該状態を示す画像を表示し、前記方向検出部が検出する自装置の方向に基づいて、前記画像の向きを変更する表示部と、
を備えることを特徴とする再生装置。
【請求項２】
入力される操作を検出する操作検出部
を更に備え、
前記再生部は、
前記操作検出部の検出結果に基づいて前記複製情報を再生する
ことを特徴とする請求項１に記載の再生装置。
【請求項３】
前記複製情報には、前記原盤情報の再生順を示す再生順序情報が関連付けられており、
前記記憶部には、前記原盤情報とは情報の内容が異なる第２複製情報が予め記憶され、
前記再生部は、
前記操作検出部が前記操作を検出した場合、前記複製情報に関連付けられた前記再生順序情報に基づく順序によって前記複製情報を再生し、
前記操作検出部が前記操作を検出しない場合、前記時計部が計時する時刻に基づいて前記複製情報、及び前記第２複製情報を再生する
ことを特徴とする請求項２に記載の再生装置。
【請求項４】
デジタルデータの原盤情報が複製された複製情報であって、前記複製情報が記憶される記録媒体の種類を示す記録媒体情報のうち自装置を示す記録媒体情報が関連付けられている原盤情報が複製された前記複製情報が、予め記憶されている記憶部と、
現在の時刻を計時する時計部と、
入力される操作を検出する操作検出部と、
前記記憶部に記憶されている前記複製情報を再生する再生部と、
前記再生部の前記複製情報の再生の状態に応じて、当該状態を示す画像を表示する表示部と、
を備え、
前記複製情報には、前記原盤情報の再生順を示す再生順序情報が関連付けられており、
前記記憶部には、前記原盤情報とは情報の内容が異なる第２複製情報と、自装置の出荷時に予め設定される時刻を示すランダム情報と、が予め記憶され、
前記再生部は、
前記操作検出部が前記操作を検出した場合、前記複製情報に関連付けられた前記再生順序情報に基づく順序によって前記複製情報を再生し、前記操作検出部が前記操作を検出しない場合、前記時計部が計時する時刻と、前記ランダム情報とのうち、少なくともいずれか１つに基づいて、前記複製情報、及び前記第２複製情報を再生する、
ことを特徴とする再生装置。
【請求項５】
前記表示部は、
前記動作モードに応じた画像を表示する、
を備えることを特徴とする請求項１から請求項３のいずれか一項に記載の再生装置。
【請求項６】
前記複製情報は、
前記記憶部に記憶された後の追記、書き換え、及び消去のうち少なくともいずれか１つが制限されている
ことを特徴とする請求項１から請求項４のいずれか一項に記載の再生装置。
【請求項７】
前記再生装置の筐体表面には、前記再生装置に記憶される前記複製情報の複製元である前記原盤情報の著作権者、製作者、又は出演者に関連する情報が付される
ことを特徴とする請求項１から請求項４のいずれか一項に記載の再生装置。
【請求項８】
前記原盤情報とは、音データである
ことを特徴とする請求項１から請求項５のいずれか一項に記載の再生装置。
【請求項９】
デジタルデータの原盤情報が複製された複製情報であって、前記複製情報が記憶される記録媒体の種類を示す記録媒体情報のうち自装置を示す記録媒体情報が関連付けられている原盤情報が複製された前記複製情報が、予め記憶されている再生装置のコンピュータに、
現在の時刻を計時する時計ステップと、
重力方向に対する自装置の方向の変化を自装置に対する操作として検出する方向検出ステップと、
前記方向検出ステップが検出した結果に基づいて、動作モードを判定する判定ステップと、
前記時計ステップが計時する時刻と、前記判定ステップが判定する前記動作モードとのうち、少なくともいずれか１つに基づいて、前記複製情報を再生する再生ステップと、
前記再生ステップの前記複製情報の再生の状態に応じた当該状態を示す画像を表示し、前記方向検出ステップが検出する自装置の方向に基づいて、前記画像の向きを変更する表示ステップと、
を実行させるための再生プログラム。
【請求項１０】
デジタルデータの原盤情報が複製された複製情報であって、前記複製情報が記憶される記録媒体の種類を示す記録媒体情報のうち自装置を示す記録媒体情報が関連付けられている原盤情報が複製された前記複製情報が、予め記憶されている再生装置のコンピュータに、
現在の時刻を計時する時計ステップと、
入力される操作を検出する操作検出ステップと、
前記複製情報を再生する再生ステップと、
前記再生ステップの前記複製情報の再生の状態に応じて、当該状態を示す画像を表示する表示ステップと、
を実行させるための再生プログラムであって、
前記複製情報には、前記原盤情報の再生順を示す再生順序情報が関連付けられており、
前記コンピュータには、前記原盤情報とは情報の内容が異なる第２複製情報と、自装置の出荷時に予め設定される時刻を示すランダム情報と、が予め記憶され、
更に、前記再生ステップは、
前記操作検出ステップが前記操作を検出した場合、前記複製情報に関連付けられた前記再生順序情報に基づく順序によって前記複製情報を再生し、前記操作検出ステップが前記操作を検出しない場合、前記時計ステップが計時する時刻と、前記ランダム情報とのうち、少なくともいずれか１つに基づいて、前記複製情報、及び前記第２複製情報を再生する、
再生プログラム。
【発明の詳細な説明】
【技術分野】
【０００１】
本発明は、再生装置及び再生プログラムに関する。
【背景技術】
【０００２】
近年、音楽等の音コンテンツの供給媒体として、音のデータが、光学的に記録されるコンパクトディスク（以下ＣＤ：Ｃｏｍｐａｃｔ  Ｄｉｓｃ）やＤＶＤ（Ｄｉｇｉｔａｌ  Ｖｅｒｓａｔｉｌｅ  Ｄｉｓｃ）などが普及している。
【先行技術文献】
【特許文献】
【０００３】
【特許文献１】再公表ＷＯ２００１／０１５１６４号公報
【発明の概要】
【発明が解決しようとする課題】
【０００４】
近年では、消費者のニーズの多様化に伴い、コンテンツの供給者側には、多種多様な製品を供給することが求められている。特に、音コンテンツについては、様々な形態の媒体によって供給できることが望ましい。しかしながら、従来の音コンテンツの供給媒体では、多様化する消費者のニーズに対応できないことがあるという問題があった。
【０００５】
本発明は、多様化する消費者のニーズに対応できる音コンテンツの供給媒体としての再生装置、再生プログラム、及び再生装置製造システムを提供することを目的とする。
【課題を解決するための手段】
【０００６】
本発明の一実施形態は、デジタルデータの原盤情報が複製された複製情報であって、前記複製情報が記憶される記録媒体の種類を示す記録媒体情報のうち自装置を示す記録媒体情報が関連付けられている原盤情報が複製された前記複製情報が、予め記憶されている記憶部と、現在の時刻を計時する時計部と、重力方向に対する自装置の方向の変化を自装置に対する操作として検出する方向検出部と、前記方向検出部が検出した結果に基づいて、動作モードを判定する判定部と、前記時計部が計時する時刻と、前記判定部が判定する前記動作モードとのうち、少なくともいずれか１つに基づいて、前記記憶部に記憶されている前記複製情報を再生する再生部と、前記再生部の前記複製情報の再生の状態に応じた当該状態を示す画像を表示し、前記方向検出部が検出する自装置の方向に基づいて、前記画像の向きを変更する表示部と、を備えることを特徴とする再生装置である。
また、本発明の一実施形態の再生装置において、前記表示部は、前記動作モードに応じた画像を表示する。
また、本発明の一実施形態は、デジタルデータの原盤情報が複製された複製情報であって、前記複製情報が記憶される記録媒体の種類を示す記録媒体情報のうち自装置を示す記録媒体情報が関連付けられている原盤情報が複製された前記複製情報が、予め記憶されている記憶部と、現在の時刻を計時する時計部と、入力される操作を検出する操作検出部と、前記記憶部に記憶されている前記複製情報を再生する再生部と、前記再生部の前記複製情報の再生の状態に応じて、当該状態を示す画像を表示する表示部と、を備え、前記複製情報には、前記原盤情報の再生順を示す再生順序情報が関連付けられており、前記記憶部には、前記原盤情報とは情報の内容が異なる第２複製情報と、自装置の出荷時に予め設定される時刻を示すランダム情報と、が予め記憶され、前記再生部は、前記操作検出部が前記操作を検出した場合、前記複製情報に関連付けられた前記再生順序情報に基づく順序によって前記複製情報を再生し、前記操作検出部が前記操作を検出しない場合、前記時計部が計時する時刻と、前記ランダム情報とのうち、少なくともいずれか１つに基づいて、前記複製情報、及び前記第２複製情報を再生する、ことを特徴とする再生装置である。
【０００７】
また、本発明の一実施形態の再生装置において、前記複製情報は、前記記憶部に記憶された後の追記、書き換え、及び消去のうち少なくともいずれか１つが制限されている。
【０００８】
また、本発明の一実施形態の再生装置において、入力される操作を検出する操作検出部を更に備え、前記再生部は、前記操作検出部の検出結果に基づいて前記複製情報を再生する。
【０００９】
また、本発明の一実施形態の再生装置において、前記複製情報には、前記原盤情報の再生順を示す再生順序情報が関連付けられており、前記記憶部には、前記原盤情報とは情報の内容が異なる第２複製情報が予め記憶され、前記再生部は、前記操作検出部が前記操作を検出した場合、前記複製情報に関連付けられた前記再生順序情報に基づく順序によって前記複製情報を再生し、前記操作検出部が前記操作を検出しない場合、前記時計部が計時する時刻に基づいて前記複製情報、及び前記第２複製情報を再生する。
【００１０】
また、本発明の一実施形態の再生装置において、前記再生装置の筐体表面には、前記再生装置に記憶される前記複製情報の複製元である前記原盤情報の著作権者、製作者、又は出演者に関連する情報が付される。
【００１１】
また、本発明の一実施形態の再生装置において、前記原盤情報とは、音データである。
【００１２】
また、本発明の一実施形態は、デジタルデータの原盤情報が複製された複製情報であって、前記複製情報が記憶される記録媒体の種類を示す記録媒体情報のうち自装置を示す記録媒体情報が関連付けられている原盤情報が複製された前記複製情報が、予め記憶されている再生装置のコンピュータに、現在の時刻を計時する時計ステップと、重力方向に対する自装置の方向の変化を自装置に対する操作として検出する方向検出ステップと、前記方向検出ステップが検出した結果に基づいて、動作モードを判定する判定ステップと、前記時計ステップが計時する時刻と、前記判定ステップが判定する前記動作モードとのうち、少なくともいずれか１つに基づいて、前記複製情報を再生する再生ステップと、前記再生ステップの前記複製情報の再生の状態に応じた当該状態を示す画像を表示し、前記方向検出ステップが検出する自装置の方向に基づいて、前記画像の向きを変更する表示ステップと、を実行させるための再生プログラムである。
また、本発明の一実施形態は、デジタルデータの原盤情報が複製された複製情報であって、前記複製情報が記憶される記録媒体の種類を示す記録媒体情報のうち自装置を示す記録媒体情報が関連付けられている原盤情報が複製された前記複製情報が、予め記憶されている再生装置のコンピュータに、現在の時刻を計時する時計ステップと、入力される操作を検出する操作検出ステップと、前記複製情報を再生する再生ステップと、前記再生ステップの前記複製情報の再生の状態に応じて、当該状態を示す画像を表示する表示ステップと、を実行させるための再生プログラムであって、前記複製情報には、前記原盤情報の再生順を示す再生順序情報が関連付けられており、前記コンピュータには、前記原盤情報とは情報の内容が異なる第２複製情報と、自装置の出荷時に予め設定される時刻を示すランダム情報と、が予め記憶され、更に、前記再生ステップは、前記操作検出ステップが前記操作を検出した場合、前記複製情報に関連付けられた前記再生順序情報に基づく順序によって前記複製情報を再生し、前記操作検出ステップが前記操作を検出しない場合、前記時計ステップが計時する時刻と、前記ランダム情報とのうち、少なくともいずれか１つに基づいて、前記複製情報、及び前記第２複製情報を再生する、再生プログラムである。
【発明の効果】
【００１４】
本発明によれば、多様化する消費者のニーズに対応できる音コンテンツの供給媒体としての再生装置、再生プログラム、及び再生装置製造システムを提供することができる。
【図面の簡単な説明】
【００１５】
【図１】本実施形態における再生装置の構成の概要を示す模式図である。
【図２】本実施形態における再生装置である立方体を展開した展開図である。
【図３】本実施形態における再生装置製造システムの構成の一例を示す概要図である。
【図４】本実施形態におけるデータベースに記憶される原盤情報の一例を示す表である。
【図５】本実施形態におけるデータベースに記憶される原盤情報の一例を示す第２の表である。
【図６】本実施形態における時計部が割込み情報を供給する場合の再生装置の動作の一例を示す流れ図である。
【図７】本実施形態における検出部が割込み情報を供給する場合の再生装置の動作の一例を示す流れ図である。
【図８】再生装置の設置方法の一例を示す模式図である。
【発明を実施するための形態】
【００１６】
［第１の実施形態］
以下、図を参照して本発明の第１の実施形態による再生装置１０について説明する。始めに図１及び図２を参照して、再生装置１０の構成の概要について説明する。
図１は、本実施形態における再生装置１０の外観構成の一例を示す模式図である。図２は、本実施形態における再生装置１０の筐体の展開図の一例である。本実施形態において、再生装置１０は、例えば、立方体の外観形状を有する。再生装置１０の大きさは、図１に示すｘｙｚ直交座標系において、ｘ方向の奥行きｄ、ｙ方向の幅ｗ、ｚ方向の高さｈである。図２に示すように、再生装置１０は、正面Ｆ、背面Ｂ、上面Ｕ、底面Ｄ、左面Ｌ、及び右面Ｒを有する。
【００１７】
再生装置１０は、操作部１１０と、表示部１２０と、スピーカ１５０とを備える。
操作部１１０は、再生ボタン、停止ボタン、曲送りボタン、曲戻しボタンなどの操作ボタンを備えている。操作部１１０は、再生装置１０の背面Ｂに備えられる。
表示部１２０は、液晶ディスプレイなどの表示デバイスを備えており、時刻や日付などを表示する。表示部１２０は、再生装置１０の正面Ｆに備えられる。
スピーカ１５０は、再生装置１０が備える制御部１４０の制御に基づいて、音を再生する。スピーカ１５０は、再生装置１０の背面Ｂに備えられる。
次に、制御部１４０の構成について、図３を参照して説明する。
【００１８】
図３は、本実施形態における再生装置１０の機能構成の一例を示す構成図である。再生装置１０は、上述した表示部１２０と、操作部１１０と、スピーカ１５０とに加え、記憶部１３０と、制御部１４０とを備える。
【００１９】
［記憶部の構成］
記憶部１３０は、ワンタイム・プログラミング型のフラッシュメモリなどを備えている。この記憶部１３０には、制御部１４０が動作するためのプログラムに加え、スピーカ１５０によって再生される音の情報（複製情報ＣｐＩ）が記憶されている。ここで、再生装置製造システム１が、記憶部１３０に複製情報ＣｐＩを書き込む仕組みについて説明する。
【００２０】
再生装置製造システム１は、サーバＳＶと、書込み装置ＷＤとを備える。
サーバＳＶは、データベースＤＢを備えている。このデータベースＤＢには、原盤情報ＯｒＩが記憶されている。原盤情報ＯｒＩとは、音コンテンツの情報であり、複製情報ＣｐＩの複製元の情報である。すなわち、複製情報ＣｐＩとは、音コンテンツの情報であり、原盤情報ＯｒＩが複製された情報である。
音コンテンツが、あるアーティストが演奏した楽曲を複数収録した音楽アルバムである場合を一例にして説明する。原盤情報ＯｒＩは、例えば、レコーディングスタジオにおいて収録された複数のトラックを有するデータ、すなわちマルチトラックデータがミックスダウンされたのち、マスタリングされて製作される。原盤情報ＯｒＩのファイル形式には、非圧縮形式や、圧縮形式などの様々なファイル形式がある。次に、図４を参照してデータベースＤＢに記憶される原盤情報ＯｒＩの詳細について説明する。
【００２１】
図４は、本実施形態におけるデータベースＤＢに記憶される管理情報ＭｎｇＩ１の一例を示す表である。この一例では、管理情報ＭｎｇＩ１が、１０曲の楽曲を含む音楽アルバムを管理する場合について説明する。データベースＤＢには、ファイルＦｌが、アーティスト名ＡｒＮ、アルバム名Ａｌｂ、トラック番号ＴｒＮ、楽楽曲名ＴｒＣ、及び記録媒体情報Ｍｄに関連付けられて、管理情報ＭｎｇＩ１として記憶されている。管理情報ＭｎｇＩ１として記憶されているファイルＦｌを総称して、原盤情報ＯｒＩという。
また、ファイルＦｌには、データベースＤＢの各レコードを固有に識別するための識別ＩＤが関連付けられている。
アーティスト名ＡｒＮとは、ファイルＦｌに記憶される楽曲を演奏するアーティストの名称である。アルバム名Ａｌｂとは、複数の楽曲の集合を示す名称である。楽楽曲名ＴｒＣとは、ファイルＦｌに示される楽曲の題名である。記録媒体情報Ｍｄとは、ファイルＦｌの複製が記憶される媒体の種類を示す情報である。例えば、記録媒体情報Ｍｄには、ＣＤ、ＤＶＤが含まれる。また、この記録媒体情報Ｍｄには、再生装置１０が含まれる。なお、これら複数の記録媒体情報Ｍｄを総称して記録媒体情報ＴｙＩと称する。
【００２２】
次に、管理情報ＭｎｇＩ１によって管理されるファイルＦｌの具体例について説明する。識別ＩＤ１には、”ＡＢＣＤ”がアーティスト名ＡｒＮとして、”ａｂｃｄ”がアルバム名Ａｌｂとして、”１”がトラック番号ＴｒＮとして、”ｔ００１”がファイルＦｌとして、”ＣＤ”が記録媒体情報Ｍｄとして、それぞれ関連付けられている。
また、識別ＩＤ２には、”ＡＢＣＤ”がアーティスト名ＡｒＮとして、”ａｂｃｄ”がアルバム名Ａｌｂとして、”２”がトラック番号ＴｒＮとして、”ｔ００２”がファイルＦｌとして、”ＣＤ”が記録媒体情報Ｍｄとして、それぞれ関連付けられている。
また、識別ＩＤ１０には、”ＡＢＣＤ”がアーティスト名ＡｒＮとして、”ａｂｃｄ”がアルバム名Ａｌｂとして、”１０”がトラック番号ＴｒＮとして、”ｔ０１０”がファイルＦｌとして、”ＣＤ”が記録媒体情報Ｍｄとして、それぞれ関連付けられている。
すなわち、識別ＩＤ１には、アルバム”ＡＢＣＤ”の１曲目の情報が、識別ＩＤ２には、アルバム”ＡＢＣＤ”の２曲目の情報が、識別ＩＤ１０には、アルバム”ＡＢＣＤ”の１０曲目の情報が、ＣＤに書き込むための情報として、それぞれ関連付けられている。
【００２３】
また、識別ＩＤ１１には、”ＡＢＣＤ”がアーティスト名ＡｒＮとして、”ａｂｃｄ”がアルバム名Ａｌｂとして、”１”がトラック番号ＴｒＮとして、”ｔ００１”がファイルＦｌとして、”ＣＵＢＥ”が記録媒体情報Ｍｄとして、それぞれ関連付けられている。
また、識別ＩＤ１２には、”ＡＢＣＤ”がアーティスト名ＡｒＮとして、”ａｂｃｄ”がアルバム名Ａｌｂとして、”２”がトラック番号ＴｒＮとして、”ｔ００２”がファイルＦｌとして、”ＣＵＢＥ”が記録媒体情報Ｍｄとして、それぞれ関連付けられている。
また、識別ＩＤ２０には、”ＡＢＣＤ”がアーティスト名ＡｒＮとして、”ａｂｃｄ”がアルバム名Ａｌｂとして、”１０”がトラック番号ＴｒＮとして、”ｔ０１０”がファイルＦｌとして、”ＣＵＢＥ”が記録媒体情報Ｍｄとして、それぞれ関連付けられている。
すなわち、識別ＩＤ１には、アルバム”ＡＢＣＤ”の１曲目の情報が、識別ＩＤ２には、アルバム”ＡＢＣＤ”の２曲目の情報が、識別ＩＤ１０には、アルバム”ＡＢＣＤ”の１０曲目の情報が、ＣＵＢＥに書き込むための情報として、それぞれ関連付けられている。ここで、記録媒体情報Ｍｄの”ＣＵＢＥ”とは、ファイルＦｌを複製して書き込む先の記録媒体が、再生装置１０であることを示す。
【００２４】
なお、図４では、１つのファイルＦｌに１つの記録媒体情報ＴｙＩが関連付けられる場合について説明したが、これに限られない。管理情報ＭｎｇＩ１の変形例である管理情報ＭｎｇＩ２について、図５を参照して説明する。
【００２５】
図５は、本実施形態におけるデータベースＤＢに記憶される原盤情報ＯｒＩの一例を示す第２の表である。図５に示すとおり、管理情報ＭｎｇＩ２は、１つのファイルＦｌに対して、複数の記録媒体情報ＴｙＩを関連付けている。具体的には、識別ＩＤ１には、”ｔ００１”がファイルＦｌ１として、”ＣＤ”と、”ＣＵＢＥ”と、”ＤＶＤ”とが記録媒体情報ＴｙＩとして、それぞれ関連付けられている。このように原盤情報ＯｒＩを管理することにより、ひとつの原盤情報ＯｒＩ（例えば、ファイルＦｌ１）に対して、様々な記録媒体を対応付けることができ、記録媒体の追加などの際の管理が容易になる。上述したように、様々な種類の記録媒体に対応付けられることが、原盤情報ＯｒＩの特徴のひとつである。また、原盤情報ＯｒＩは、入手する際に対価が発生しうる音コンテンツの、デジタル音データである。例えば、原盤情報ＯｒＩは、アーティストの楽曲のオリジナルサウンドトラックのデジタル音データや、そのオリジナルサウンドトラックをリマスターしたデジタル音データが含まれる。また、例えば、原盤情報ＯｒＩは、４０ｋＨｚ（キロヘルツ）以上のサンプリング周波数でサンプリングされたデジタル音データである。また、原盤情報ＯｒＩは、高音質であることが望ましい。例えば、原盤情報ＯｒＩは、４８ｋＨｚ以上のサンプリング周波数でサンプリングされたデジタル音データであることが好ましい。また、原盤情報ＯｒＩは、非圧縮形式のデジタル音データであることが好ましい。また、原盤情報ＯｒＩは、音鑑賞（音コンテンツが楽曲の場合には、音楽鑑賞）に耐えうる音コンテンツのデジタル音データであることが望ましい。例えば、音コンテンツが楽曲の場合には、原盤情報ＯｒＩは、マルチトラック・レコーディング過程と、ミックスダウン過程とを経て作成される音コンテンツのデジタル音データである。
【００２６】
次に、図３に戻り、書込み装置ＷＤについて説明する。書込み装置ＷＤは、書き込み対象の記録媒体を示す情報と、記録媒体にどのような音コンテンツを書き込むのかを示す情報とを取得する。ここでは、書込み装置ＷＤが、再生装置１０に、アーティスト”ＡＢＣＤ”のアルバム”ａｂｃｄ”を書き込む場合を一例にして説明する。この場合、書き込み装置ＷＤの操作者は、書き込み対象の記録媒体を示す情報として、再生装置１０を示す”ＣＵＢＥ”を、書き込み装置ＷＤに対して指示する。また、書き込み装置ＷＤの操作者は、記録媒体にどのような音コンテンツを書き込むのかを示す情報として、アーティスト”ＡＢＣＤ”のアルバム”ａｂｃｄ”を指示する。
書き込み装置ＷＤは、操作者からの指示に基づいて、サーバＳＶが備えるデータベースＤＢの原盤情報ＯｒＩを参照する。具体的には、書込み装置ＷＤは、記録媒体情報Ｍｄが”ＣＵＢＥ”であって、アーティスト名ＡｒＮが”ＡＢＣＤ”、アルバム名Ａｌｂが”ａｂｃｄ”である原盤情報ＯｒＩを検索する。書込み装置ＷＤは、検索の結果、抽出された原盤情報ＯｒＩを読み出して複製することにより、複製情報ＣｐＩを生成する。次に、書込み装置ＷＤは、生成した複製情報ＣｐＩを再生装置１０へ書き込む。この場合、書込み装置ＷＤは、抽出した原盤情報ＯｒＩに関連付けられている識別ＩＤが示す順序に基づいて複製情報ＣｐＩを再生装置１０の記憶部１３０に書き込む。これにより、記憶部１３０には、原盤情報ＯｒＩが複製された複製情報ＣｐＩが書き込まれる。
再生装置１０への書込み装置ＷＤによる複製情報ＣｐＩの書き込みは、再生装置１０の製造時にのみ行われる。再生装置１０は、記憶部１３０に記憶された複製情報ＣｐＩを改変する手段を備えない。また、再生装置１０は、記憶部１３０に記憶された複製情報ＣｐＩの改変を抑止する機能を備えていてもよい。
【００２７】
なお、ここでは複製情報ＣｐＩが再生装置１０の製造時に書き込まれる場合について説明したが、これに限られない。再生装置１０への書込み装置ＷＤによる複製情報ＣｐＩの書込みは、再生装置１０の工場出荷時や、販売時に行われてもよい。
【００２８】
［制御部の構成］
制御部１４０は、ＣＰＵ（Ｃｅｎｔｒａｌ  Ｐｒｏｃｅｓｓｉｎｇ  Ｕｎｉｔ）を備えており、その機能部としての検出部１４１と、表示制御部１４２と、判定部１４３と、時計部１４４と、再生部１４５とを備える。
検出部１４１は、操作部１１０に対する操作を検出する。検出部１４１は、操作部１１０に対する操作を検出した場合、検出した操作に応じた情報を再生部１４５と、表示制御部１４２とに出力する。ここで、検出した操作に応じた情報とは、音コンテンツの再生を指示する情報、停止を指示する情報、曲送りを指示する情報、曲戻しを指示する情報である。
【００２９】
時計部１４４は、時刻を計時して時刻情報ＴＩを生成する。時計部１４４は、生成した時刻情報ＴＩを表示制御部１４２に供給する。また、時計部１４４は、アラーム情報ＡＩを記憶する、不図示のアラーム時刻記憶部を備える。このアラーム情報ＡＩとは、ユーザによって設定されたアラーム時刻を示す情報である。時計部１４４は、時刻情報ＴＩが示す現在時刻と、アラーム情報ＡＩが示すアラーム時刻とが一致した場合、アラームが発生したことを示す情報を判定部１４３へ供給する。
【００３０】
なお、ここでは、アラーム情報ＡＩが時刻を示す情報である場合について説明したが、これに限られない。アラーム情報ＡＩは、日付を示す情報であってもよく、年月を示す情報であってもよい。例えば、アラーム情報ＡＩが、年月日を示す情報であって、再生装置１０の所有者の誕生日を示す情報である場合には、この誕生日にあわせてアラームを発生させることができる。
【００３１】
判定部１４３は、検出部１４１、又は時計部１４４から割込み情報ＩＩを取得した否かを判定する。判定部１４３は、検出部１４１、又は時計部１４４から割込み情報ＩＩを取得した場合、記憶部１３０から複製情報ＣｐＩを読み出す。判定部１４３は、記憶部１３０から読み出したこの複製情報ＣｐＩを再生部１４５へ供給する。
【００３２】
表示制御部１４２は、時計部１４４から時刻情報ＴＩを取得する。表示制御部１４２は、時計部１４４から取得した時刻情報ＴＩを表示部１２０へ供給する。
また、表示制御部１４２は、検出部１４１から検出情報ＤＩを取得する。表示制御部１４２は、取得した検出情報ＤＩに基づいて、再生状態情報ＰＣＩを表示部１２０へ供給する。再生状態情報ＰＣＩとは、再生装置１０による複製情報ＣｐＩの再生状態を示す情報である。具体的には、再生状態情報ＰＣＩは、検出情報ＤＩが複製情報ＣｐＩの再生を指示する情報であった場合、再生中を示す情報である。また、再生状態情報ＰＣＩは、検出情報ＤＩが停止を指示する情報であった場合、停止中を示す情報である。
【００３３】
表示部１２０は、表示制御部１４２から時刻情報ＴＩを取得する。表示部１２０は、取得した時刻情報ＴＩに基づいて時刻を表示する。また、表示部１２０は、表示制御部１４２から検出情報ＤＩを取得する。表示部１２０は、取得した検出情報ＤＩに基づいて再生状態情報ＰＣＩを表示する。
【００３４】
なお、この一例では、表示部１２０が、時刻情報ＴＩを表示する場合について説明したが、これに限られない。再生装置１０は、少なくとも時計部１４４が時刻情報ＴＩを計時すればよく、表示部１２０は時刻情報ＴＩを表示しなくてもよい。
【００３５】
再生部１４５は、判定部１４３から取得した複製情報ＣｐＩを再生する。具体的には、再生部１４５と、スピーカ１５０とは接続されており、再生部１４５は、スピーカ１５０によって複製情報ＣｐＩを再生する。
【００３６】
また、図２に示すように、一例として、再生装置１０の上面Ｕ、左面Ｌ、右面Ｒ、及び底面Ｄには、記憶部１３０に記憶されている音コンテンツに関連する絵柄、例えば、アーティストの写真等が付される。つまり、再生装置１０の外観は、アーティストやアルバムごとに独自の絵柄である。したがって、再生装置１０は、ユーザの購買欲を刺激するとともに、収集欲を満足させることができる。
【００３７】
なお、再生装置１０の筐体表面に付される図２に示す絵柄は、一例であって、これに限られない。筐体表面に付される絵柄は、記憶部１３０に記憶されている音コンテンツに関連するものであれば何でもよく、例えば、文字や著作権に関連する情報であってもよい。また、再生装置１０の筐体表面に付される絵柄は、記憶部１３０に記憶されている音コンテンツに関連しないものであってもよい。例えば、再生装置１０の筐体表面に付される絵柄は、再生装置１０が販売される場所に関連する絵柄や、再生装置１０が配布されるイベントに関連する絵柄であってもよい。また、筐体表面に絵柄が付されていなくてもよい。
【００３８】
なお、本実施形態では再生装置１０が立方体である場合について説明したが、これに限られない。再生装置１０は、筐体を有する装置であればよく、形状は直方体、球体、三角錐、カード型等であってもよい。
【００３９】
［再生装置の動作］
次に図６を参照して、再生装置１０の動作について説明する。
図６は、本実施形態におけるアラーム発生時の再生装置１０の動作の一例を示す流れ図である。
時計部１４４は、計時する時刻がアラーム情報ＡＩによって示される時刻か否かを判定する（ステップＳ１００）。時計部１４４は、計時する時刻がアラーム情報ＡＩによって示される時刻となった場合（ステップＳ１００；ＹＥＳ）には、処理をステップＳ１１０に進める。一方、時計部１４４は、計時する時刻がアラーム情報ＡＩによって示される時刻ではないと判定した場合（ステップＳ１００；ＮＯ）、ステップＳ１００の処理を繰り返す。時計部１４４は、割込み情報ＩＩを判定部１４３へ供給する（ステップＳ１１０）。
【００４０】
判定部１４３は、時計部１４４から割込み情報ＩＩが供給されるか否かを判定する（ステップＳ１２０）。判定部１４３は、時計部１４４から割込み情報ＩＩを取得した場合（ステップＳ１２０；ＹＥＳ）には、処理をステップＳ１３０へ進める。一方、判定部１４３は、時計部１４４から割込み情報ＩＩを取得していない場合（ステップＳ１２０；ＮＯ）、ステップＳ１２０の処理を繰り返す。判定部１４３は、再生部１４５に対して、複製情報ＣｐＩの供給を指示する（ステップＳ１３０）。
【００４１】
再生部１４５は、判定部１４３から複製情報ＣｐＩの供給を指示するか否かを判定する（ステップＳ１４０）。再生部１４５は、判定部１４３から複製情報ＣｐＩの供給の指示を受けた場合（ステップＳ１４０；ＹＥＳ）には、処理をステップＳ１５０へ進める。一方、再生部１４５は、判定部１４３から複製情報ＣｐＩの供給の指示を受けていない場合（ステップＳ１４０；ＮＯ）、ステップＳ１４０の処理を繰り返す。
再生部１４５は、記憶部１３０から複製情報ＣｐＩを読み出し（ステップＳ１５０）、読み出した複製情報ＣｐＩを再生する（ステップＳ１６０）。
【００４２】
次に図７を参照して、再生装置１０の動作の変形例について説明する。
図７は、本実施形態におけるユーザ操作検出時の再生装置１０の動作の一例を示す流れ図である。
検出部１４１は、操作部１１０に対する操作の有無を判定する（ステップＳ２００）。検出部１４１は、操作部１１０に対する操作を検出した場合（ステップＳ２００；ＹＥＳ）には、処理をステップＳ２１０に進める。一方、検出部１４１は、操作部１１０に対する操作を検出しない場合（ステップＳ２００；ＮＯ）、ステップＳ２００の処理を繰り返す。
以降の動作については、図６に示す再生装置１０の動作と同様の動作となるため、同一の符号を付してその説明を省略する。
【００４３】
以上説明したように、本実施形態の再生装置製造システム１は、サーバＳＶと、書込み装置ＷＤと、再生装置１０とを備える。このサーバＳＶは、データベースＤＢを備えており、データベースＤＢには、原盤情報ＯｒＩが記憶されている。書込み装置ＷＤは、サーバＳＶが備えるデータベースＤＢから原盤情報ＯｒＩを参照する。書込み装置ＷＤは、再生装置１０に書き込む原盤情報ＯｒＩを抽出する。書込み装置ＷＤは、この原盤情報ＯｒＩを複製し、複製情報ＣｐＩを生成する。書込み装置ＷＤは、生成した複製情報ＣｐＩを再生装置１０へ書き込む。再生装置１０は、時計部１４４が計時する時刻情報ＴＩと、アラーム情報ＡＩとに基づいて、複製情報ＣｐＩを再生する。
【００４４】
ここで、従来の技術では、音楽等の音情報が記録されるデータ記録媒体としてＣＤ、及びＤＶＤが一般的であり、消費者が音楽コンテンツを購入する際には、再生可能な音楽コンテンツが記憶されたＣＤ、及びＤＶＤ等の記録媒体を購入する場合があった。
しかしながら、従来の技術では、ＣＤ、及びＤＶＤに限られず、様々な方法によって音楽等の音情報を取得したいという消費者からのニーズに対応できない場合がある。すなわち、従来の技術では、多様化する消費者のニーズに応じて音楽等の音情報が記録される記録媒体を供給することができない場合があった。
【００４５】
本実施形態の場合、再生装置１０に予め記憶される複製情報ＣｐＩは、原盤情報ＯｒＩの複製情報である。この複製情報ＣｐＩは、オルゴール等の単純な音階によって構成される音情報とは異なる音情報であって、一般に市販される音楽ＣＤ、及び音楽ＤＶＤ等に記憶される音情報と同様の音情報である。すなわち、ユーザは、従来の技術である、一般に市販される音楽ＣＤ、及び音楽ＤＶＤ等とは異なる記録媒体である再生装置１０を購入、又は入手する。これにより、ユーザは、新たな記録媒体である再生装置１０が再生する複製情報ＣｐＩを聞くことができる。
【００４６】
また、本実施形態の場合、再生装置１０は、記憶部１３０に記憶された複製情報ＣｐＩを操作する手段を備えない。換言すれば、記憶部１３０に記憶された後の追記、書き換え、及び消去のうち少なくともいずれか１つが制限されている。
つまり、再生装置１０は、データの書き換えや消去ができないＣＤやＤＶＤ等と同様の記録媒体である。これにより、再生装置１０は、ＣＤやＤＶＤを入手する場合と同様にユーザの所有欲を刺激したり、収集欲を満足させることができる。
【００４７】
また、本実施形態の場合、再生装置１０に記憶される複製情報ＣｐＩは、識別ＩＤに基づく順序によって記憶される。すなわち、再生装置１０は、複製情報ＣｐＩを識別ＩＤによって示される順序によって再生される。
これにより、ユーザは、複製情報ＣｐＩの複製元である原盤情報ＯｒＩを歌う歌手、又は演奏者等の表現の１つである曲順通りに複製情報ＣｐＩを聞くことができる。
【００４８】
また、本実施形態の場合、再生装置１０の上面Ｕ、左面Ｌ、右面Ｒ、及び底面Ｄには、再生装置１０に予め記憶される複製情報ＣｐＩに関連する楽曲情報ＭＩが付される。これにより、ユーザは、再生装置１０の筐体表面に付される楽曲情報ＭＩに基づいて、再生装置１０に予め記憶される複製情報ＣｐＩの内容に関連する楽曲情報ＭＩを視認する。
これにより、再生装置１０毎に筐体表面に付される楽曲情報ＭＩを変更することにより、ユーザの取得欲求を満たすことができる。
【００４９】
［第２の実施形態］
次に、本発明の第２の実施形態について説明する。
第１の実施形態と、第２の実施形態との違いは、第２の実施形態の場合、複製情報ＣｐＩに加えて、第２複製情報ＣｐＩ２が記憶部１３０に記憶されることにある。
第２複製情報ＣｐＩ２とは、複製情報ＣｐＩとは異なる音声等の音情報を示すデータファイルである。データベースＤＢには、第２複製情報ＣｐＩ２の複製元となる原盤情報ＯｒＩが記憶される。第２複製情報ＣｐＩ２が再生装置１０の記憶部１３０に記憶されるまでの過程は、第１の実施形態に示す複製情報ＣｐＩが再生装置１０の記憶部１３０に記憶される過程と同様であるため、その説明を省略する。
また、本実施形態の場合、時計部１４４は、アラーム情報ＡＩと、ランダム情報ＲＩとを記憶する。ランダム情報ＲＩとは、再生装置１０の出荷時に予め設定される時刻を示す情報である。時計部１４４には、アラーム情報ＡＩと、第２複製情報ＣｐＩ２とが記憶される。時計部１４４は、時刻情報ＴＩと、ランダム情報ＲＩとが同じ時刻となった場合、割込み情報ＩＩを判定部１４３へ供給する。判定部１４３が時計部１４４から割込み情報ＩＩを取得した以降の動作は第１の実施形態に示す過程と同様であるため、その説明を省略する。
【００５０】
なお、ここではランダム情報ＲＩが再生装置１０の出荷時に予め設定される時刻を示す情報である場合について説明したが、これに限られない。ランダム情報ＲＩは、ユーザによって設定されてもよいし、時計部１４４によって自動に変更、及び更新されてもよい。時計部１４４によってランダム情報ＲＩが変更、及び更新される場合、ランダム情報ＲＩは、ユーザが予期しない間隔によって設定される。再生装置１０は、ランダム情報ＲＩに基づいてユーザが予期しない間隔によって第２複製情報ＣｐＩ２を再生する。
【００５１】
以上説明したように、本実施形態の再生装置１０は、記憶部１３０に複製情報ＣｐＩと、第２複製情報ＣｐＩ２とを予め記憶する。再生装置１０は、ランダム情報ＲＩに基づいて、第２複製情報ＣｐＩ２を再生する。
すなわち、再生装置１０は、ユーザが予期しない間隔によって第２複製情報ＣｐＩ２を再生する。これにより、再生装置１０は、ユーザへサプライズ演出を提供することができる。
【００５２】
また、本実施形態において、複製情報ＣｐＩと、第２複製情報ＣｐＩとは、音楽、又は音声等を示す音情報であり、再生装置１０は、複製情報ＣｐＩ、及び第２複製情報ＣｐＩ２を再生する。これにより、ユーザは、再生装置１０を介して音楽、又は音声等を聞くことができる。
【００５３】
［変形例］
以下、図８を参照して、第１の実施形態と、第２の実施形態とに係る変形例について説明する。
図８は、再生装置１０の操作の一例を示す模式図である。変形例が示す再生装置１０は、角度センサ１６０を備える。角度センサ１６０は、重力方向に対する再生装置１０の筐体の方向を示す情報を出力する。例えば、角度センサ１６０は、再生装置１０の筐体表面の内、上面Ｕ、底面Ｄ、左面Ｌ、及び右面Ｒのいずれの面が設置面と接しているかを示す情報を供給する。具体的には、角度センサ１６０は、再生装置１０の設置角度を示す角度情報ＡｎｇＩを検出部１４１へ出力する。検出部１４１は、角度センサ１６０が供給する角度情報ＡｎｇＩを検出する。
検出部１４１は、取得した角度情報ＡｎｇＩに応じて、再生装置１０の設置面の情報である設置面情報ＩＳＩを判定部１４３へ供給する。判定部１４３は、設置面情報ＩＳＩに基づいて、再生装置１０の動作モードＯＭを判定する。動作モードＯＭとは、再生装置１０の動作状態の総称である。再生装置１０の動作には、３つの状態がある。１つの状態は、時計部１４４が計時する時刻を表示する、計時モードＴＭである。１つの状態は、再生装置１０が複製情報ＣｐＩを再生する、再生モードＰＭである。１つの状態は、アラーム情報ＡＩによって示される時刻を確認・変更する、アラームモードＡＭである。すなわち、動作モードＯＭは、計時モードＴＭと、再生モードＰＭと、アラームモードＡＭとの総称である。
【００５４】
判定部１４３は、判定する動作モードＯＭに応じて動作モード情報ＯＭＩを表示制御部１４２へ供給する。動作モード情報ＯＭＩは、判定部１４３が判定する動作モードＯＭを示す情報である。表示制御部１４２は、動作モード情報ＯＭＩに応じた情報を表示部１２０へ供給する。具体的には、動作モード情報ＯＭＩが計時モードＴＭを示す場合、表示部１２０は、時刻を表示する。また、動作モード情報ＯＭＩがアラームモードＡＭを示す場合、表示部１２０は、アラーム情報ＡＩを表示する。また、動作モード情報ＯＭＩが再生モードＰＭを示す場合、再生状態情報ＰＣＩを表示する。
また、表示部１２０は、動作モード情報ＯＭＩに応じた情報を表示する場合、設置面情報ＩＳＩに応じて、表示の向きを変更する。
【００５５】
ここで、再生装置１０が角度センサ１６０を備えることにより、設置面情報ＩＳＩに応じて再生装置１０の動作モードＯＭは変更される。また、表示部１２０は、設置面情報ＩＳＩに応じた情報を表示する。これにより、再生装置１０は、多様な表示によってユーザにエンタテイメント性のある形で複製情報ＣｐＩを提供することができる。
【００５６】
なお、上記の実施形態における再生装置１０が備える各部は、専用のハードウェアにより実現されるものであってもよく、また、メモリおよびマイクロプロセッサにより実現させるものであってもよい。
【００５７】
なお、再生装置１０が備える各部は、メモリおよびＣＰＵ（中央演算装置）により構成され、再生装置１０が備える各部の機能を実現するためのプログラムをメモリにロードして実行することによりその機能を実現させるものであってもよい。
【００５８】
また、再生装置１０、及びサーバＳＶが備える各部の機能を実現するためのプログラムをコンピュータ読み取り可能な記録媒体に記録して、この記録媒体に記録されたプログラムをコンピュータシステムに読み込ませ、実行することにより処理を行ってもよい。なお、ここでいう「コンピュータシステム」とは、ＯＳや周辺機器等のハードウェアを含むものとする。
【００５９】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【符号の説明】
【００６０】
１…再生装置製造システム、１０…再生装置、ＳＶ…サーバ、ＷＤ…書込み装置、ＣｐＩ…複製情報、ＯｒＩ…原盤情報
【図１】
0006290136.tif 000002
【図２】
0006290136.tif 000003
【図３】
0006290136.tif 000004
【図４】
0006290136.tif 000005
【図５】
0006290136.tif 000006
【図６】
0006290136.tif 000007
【図７】
0006290136.tif 000008
【図８】
0006290136.tif 000009